(57)【特許請求の範囲】
【請求項１】
雨水を貯溜する縦長の筒状貯水槽を家屋外壁面に沿わせて立設固定し、筒状貯水槽を上下に貫いて軒樋から雨水を導入する入水管路を設け、筒状貯水槽の底から下方へ突き出す入水管路の下端部を上方に曲げて、筒状貯水槽の底に形成した入水口に接続すると共に、該入水口にフィルターを取付け、筒状貯水槽内の余剰の雨水を上方開口部から流下させて排水する排水管路を該開口部が筒状貯水槽内の上端近くに位置するように設けると共に、筒状貯水槽の側壁下部に蛇口を取付けたことを特徴とする雨水貯溜装置。
【請求項２】
雨水を貯溜する縦長の筒状貯水槽を家屋外壁面に沿わせて立設固定し、筒状貯水槽を上下に貫いて軒樋から雨水を導入する入水管路を設け、筒状貯水槽の底から下方へ突き出す入水管路の下端部を上方に曲げて、筒状貯水槽の底に形成した入水口に接続すると共に、該入水口にフィルターを取付け、筒状貯水槽の底から上端近くまで立上がる仕切壁を筒状貯水槽内に設けて、筒状貯水槽内の余剰の雨水を上方開口部から流下させて排水する排水用空間部を筒状貯水槽内に形成すると共に、筒状貯水槽の排水用空間部の底に排水口を形成し、筒状貯水槽の側壁下部に蛇口を取付けたことを特徴とする雨水貯溜装置。
【請求項３】
雨水を貯溜する縦長の筒状貯水槽を家屋から支持させて立設固定し、筒状貯水槽を上下に貫いて軒樋から雨水を導入する入水管路を設け、筒状貯水槽の底から下方へ突き出す入水管路の下端部を上方に曲げて、筒状貯水槽の底に形成した入水口に接続すると共に、該入水口にフィルターを取付け、筒状貯水槽の側壁の上端近くに流出口を形成すると共に、そこから流出する余剰の雨水を伝落させて排水する排水通路を筒状貯水槽の外面に形成し、筒状貯水槽の側壁下部に蛇口を取付けたことを特徴とする雨水貯溜装置。
【請求項４】
排水通路が筒状貯水槽の外面に螺旋状に形成した凸条よりなることを特徴とする請求項３に記載の雨水貯溜装置。
【請求項５】
筒状貯水槽の外面に装飾を施したことを特徴とする請求項１ないし請求項４のいずれかに記載の雨水貯溜装置。
【発明の詳細な説明】
【０００１】
【発明の属する技術分野】
本発明は、堅樋又は鎖樋の役目を兼ねた雨水貯溜装置に関する。
【０００２】
【従来の技術】
近年、都市化の進んだ地域においては、家屋、駐車場、道路等に降った雨水がそのまま側溝を通じて河川等へ流れるため、雨季には大量の雨水が河川へ集中し、短時間で河川の容量を越えて、所謂、都市型洪水を頻繁に引き起こしている。
【０００３】
一方、乾季にはダムや湖の水が減少して水不足となるため、水道水の給水制限を実施する地域が多いが、このような水不足の状態を解消するために新たにダムを建設することは、建設費が高いことに加えて、都市から近いところに建設用地がないため、実際には不可能になってきている。
【０００４】
しかし、住み良い環境をつくり、河川の氾濫などを防止するためには、降雨時に雨水をそのまま河川に流さないで土地に浸透させたり、一次貯溜することが提唱されている。一次貯溜された雨水は、公園の木々や芝生、草花等の灌水用として使用されたり、一般家庭の庭木や鉢植え植物等に使用される。また、洗車等にも使用される。我国では水道水が比較的安価であるため、植物の灌水等にも水道水が用いられているが、より多くの人々が雨水を利用するという意識を持つことは、上記の水不足の解消や都市型洪水の抑制につながることになる。
【０００５】
このような事情から、近年、図６に示すような雨水貯溜装置が開発された。この装置は、蛇口１０１を取付けたバケツ型の貯水容器１０２を支持台１０３の上に載置して蓋１０４を被せると共に、家屋外壁沿いの堅樋１０５を途中で切断して分水器１０６を接続し、この分水器１０６と貯水容器１０２をホース１０７でつないだものである。
【０００６】
斯かる構造の雨水貯溜装置では、家屋の屋根に降った雨水が軒樋（不図示）から竪樋１０５を通って流下し、途中の分水器１０６で雨水の一部がホース１０７へ分流して貯水容器１０２に貯溜される。従って、必要なときに蛇口１０１を回せば、貯水容器１０２から雨水を取り出して有効利用することができる。
【０００７】
【発明が解決しようとする課題】
しかしながら、上記の雨水貯溜装置は家屋外壁に沿わせて設置しにくく、しかも貯水容器１０２がバケツ型であるため、装置が目立ちやすく、建物の一部として調和が保たれないので、むしろ違和感があり、広い設置スペースを必要とするという問題があった。
【０００８】
また、貯水容器１０２内に貯溜される雨水の量が減少して軽くなると、強風時に貯水容器１０２が転倒する心配があり、しかも、竪樋１０５を途中で切断して分水器１０６を接続しているため、分水器１０６やその下側の堅樋部分が抜け落ちる心配もあった。
【０００９】
本発明は上記の問題に鑑みなされたもので、その目的とするところは、堅樋又は鎖樋としての機能を兼ね備え、家屋外壁面に沿って立設させたり、家屋から支持させて立設させるため、建物の一部として良く調和し、且つ、従来の堅樋等の位置に立設できるため特別な設置スペースを必要とせず、倒れる心配もない雨水貯溜装置を提供することにある。
【００１０】
【課題を解決するための手段】
上記目的を達成するため、本発明の請求項１に係る雨水貯溜装置は、雨水を貯溜する縦長の筒状貯水槽を家屋外壁面に沿わせて立設固定し、筒状貯水槽を上下に貫いて軒樋から雨水を導入する入水管路を設け、筒状貯水槽の底から下方へ突き出す入水管路の下端部を上方に曲げて、筒状貯水槽の底に形成した入水口に接続すると共に、該入水口にフィルターを取付け、筒状貯水槽内の余剰の雨水を上方開口部から流下させて排水する排水管路を該開口部が筒状貯水槽内の上端近くに位置するように設けると共に、筒状貯水槽の側壁下部に蛇口を取付けたことを特徴とするものである。
【００１１】
斯かる構成の雨水貯溜装置では、家屋の屋根に降った雨水が軒樋から入水管路を流下し、筒状貯水槽の底の入水口から槽内へ流入して貯溜されるが、入水口にフィルターを取付けているため、雨水に含まれる木の葉、ゴミ、土砂などの固形物が雨水と共に筒状貯水槽内へ流入するのを阻止して入水管路の下端部に固形物を溜め、きれいな雨水のみを貯溜することができる。そして、筒状貯水槽内の雨水の水位が排水管路の上方開口部より高くなると、余剰の雨水がオーバーフローして該開口部から排水管路内を流下して排水される。そして、庭木や鉢植え植物等に灌水するときや、洗車のときなど、必要なときに蛇口を回すと、筒状貯水槽内に貯溜された雨水を取り出して有効利用することができる。
【００１２】
この雨水貯溜装置は上記ように雨水を軒樋から導入して貯溜するだけでなく、筒状貯水槽内の余剰の雨水を排水する機能、つまり堅樋としての排水機能を併せ持つものであり、貯水槽そのものが大型の堅樋のような縦長の筒状貯水槽であるため、家屋外壁面に沿って立設固定すると建物の一部として良く調和し、且つ、従来の堅樋の位置に設置できるので特別な設置スペースを必要とせず、倒れる心配がなくなり、この装置の設置箇所には堅樋を設けることも不要となる。また、この雨水貯溜装置は、従来装置のように堅樋を途中で切断して分水器を接続する必要が全くないので、分水器等が抜け落ちる問題も解消される。
【００１３】
次に、請求項２に係る雨水貯溜装置は、雨水を貯溜する縦長の筒状貯水槽を家屋外壁面に沿わせて立設固定し、筒状貯水槽を上下に貫いて軒樋から雨水を導入する入水管路を設け、筒状貯水槽の底から下方へ突き出す入水管路の下端部を上方に曲げて、筒状貯水槽の底に形成した入水口に接続すると共に、該入水口にフィルターを取付け、筒状貯水槽の底から上端近くまで立上がる仕切壁を筒状貯水槽内に設けて、筒状貯水槽内の余剰の雨水を上方開口部から流下させて排水する排水用空間部を筒状貯水槽内に形成すると共に、筒状貯水槽の排水用空間部の底に排水口を形成し、筒状貯水槽の側壁下部に蛇口を取付けたことを特徴とするものである。
【００１４】
斯かる構成の雨水貯溜装置では、軒樋から雨水が入水管路を流下し、筒状貯水槽の底の入水口から槽内へ流入して貯溜されるが、入水口にフィルターを取付けているため、雨水に含まれる木の葉、ゴミ、土砂などの固形物が雨水と共に筒状貯水槽内へ流入するのを阻止して入水管路の下端部に固形物を溜め、きれいな雨水のみを貯溜することができる。そして、筒状貯水槽に貯溜された雨水の水位が、排水用空間部の上方開口部より高くなると、余剰の雨水がオーバーフローして該開口部から排水用空間部を流下して排水口より排水される。そして、必要なときに蛇口を回すと、筒状貯水槽内に貯溜された雨水を取り出して有効利用することができる。
【００１５】
上記のように、この雨水貯溜装置も堅樋としての排水機能を併せ持ち、縦長の筒状貯水槽を家屋外壁面に沿って立設固定すると建物の一部として良く調和し、且つ、従来の堅樋の位置に設置できるので特別な設置スペースを必要とせず、倒れる心配がなくなり、この装置の設置箇所には樋を設けることも不要となり、従来の分水器等の抜け落ちの問題も解消される。
【００１６】
次に、請求項３に係る雨水貯溜装置は、雨水を貯溜する縦長の筒状貯水槽を家屋から支持させて立設固定し、筒状貯水槽を上下に貫いて軒樋から雨水を導入する入水管路を設け、筒状貯水槽の底から下方へ突き出す入水管路の下端部を上方に曲げて、筒状貯水槽の底に形成した入水口に接続すると共に、該入水口にフィルターを取付け、筒状貯水槽の側壁の上端近くに流出口を形成すると共に、そこから流出する余剰の雨水を伝落させて排水する排水通路を筒状貯水槽の外面に形成し、筒状貯水槽の側壁下部に蛇口を取付けたことを特徴とするものである。
【００１７】
斯かる構成の雨水貯溜装置では、軒樋から雨水が入水管路を流下し、筒状貯水槽の底の入水口から槽内へ流入して貯溜されるが、入水口にフィルターを取付けているため、雨水に含まれる木の葉、ゴミ、土砂などの固形物が雨水と共に筒状貯水槽内へ流入するのを阻止して入水管路の下端部に固形物を溜め、きれいな雨水のみを貯溜することができる。そして、筒状貯水槽に貯溜された雨水の水位が、筒状貯水槽の側壁の流出口より高くなると、筒状貯水槽内の余剰の雨水が流出口から流出し、筒状貯水槽の外面の排水通路を伝落して排水される。そして、必要なときに蛇口を回すと、筒状貯水槽内に貯溜された雨水を取り出して有効利用することができる。
【００１８】
上記のように、この雨水貯溜装置は、所謂「鎖樋」のような伝落、排水機能を併せ持ち、縦長の筒状貯水槽を家屋から支持させて建物の一部のように家屋と調和させつつ立設固定できるものであるから、体裁が良好であり、従来の鎖樋の位置に立設固定すれば特別な設置スペースを必要とせず、倒れる心配もなくなり、従来の分水器等の抜け落ちの問題も解消される。
【００１９】
さらに、請求項４の雨水貯溜装置は、上記請求項３の雨水貯溜装置において、排水通路が筒状貯水槽の外面に螺旋状に形成した凸条よりなることを特徴とするものである。
【００２０】
このような雨水貯溜装置は、流出口から流出した余剰の雨水が、凸条よりなる排水通路に沿って螺旋状に伝落しながら排水されるので、雨水が単に雨樋を流れるものと比較して、雨水を利用した建物の景観材や装飾装置として美観を起こさせるものとなる。
【００２３】
また、請求項５に係る雨水貯溜装置は、上記請求項１〜４のいずれかの雨水貯溜装置において、筒状貯水槽の外面に装飾を施したことを特徴とするものである。
【００２４】
このような雨水貯溜装置は、筒状貯水槽の外面に施された装飾によって美観が向上し、特に、家屋と良く調和する装飾が施されていると、家屋との一体感が強くなり、体裁が更に向上する。
【００２５】
【発明の実施の形態】
以下、図面を参照して本発明の具体的な実施形態を詳述する。
【００２６】
図１は本発明の一実施形態に係る雨水貯溜装置の側面図、図２は同装置の断面図、図３は図２の円で囲んだ部分の拡大図である。
【００２７】
図１，図２において、１は円筒形の縦長の筒状貯水槽を示しており、この筒状貯水槽１は貯水槽本体１１と底部材１２と蓋材１３で構成されている。
【００２８】
貯水槽本体１１は、硬質ポリ塩化ビニル等の合成樹脂で押出成形された丸パイプからなるもので、その外周面には、家屋外壁２と良く調和するタイル模様等の装飾が施されている。そして、この貯水槽本体１１の側壁下部には蛇口３が取付けられている。
【００２９】
上記の装飾は、アクリル系樹脂フィルムなどの耐候性に優れた樹脂フィルムの片面にタイル模様等を印刷した模様印刷フィルムを用いて、その印刷面が裏側となるように該フィルムを丸パイプの外周面に貼着することにより形成されたものである。このような装飾は、模様印刷フィルムが劣化しにくく且つ印刷面が損傷しないので、長期に亘って美しさを維持することができる。
【００３０】
貯水槽本体１１を構成する丸パイプとしては、１５０〜３００ｍｍ程度のパイプ径を有するものが好適に使用される。パイプ径が１５０ｍｍ未満の細いパイプを使用すると、貯水容量が少な過ぎ、灌水等に利用する場合に水量が不足する心配があり、逆に、パイプ径が３００ｍｍを越える太いパイプを使用すると、装置が大型化して目立ち過ぎるようになる。なお、丸パイプの肉厚は２〜１０ｍｍ程度あれば強度的に充分であり、また、丸パイプの長さは、底部材１２と呼び樋４との間に納まる長さとすればよい。
【００３１】
筒状貯水槽１の底部材１２は、図２に示すように円形の底板部１２ａと環状脚部１２ｂと差込みリング部１２ｃを備えたもので、この底部材１２も硬質ポリ塩化ビニル等の合成樹脂で成形されている。差込みリング部１２ｃの直径（外径）は貯水槽本体１１の丸パイプの内径と同一であり、この差込みリング部１２ｃを貯水槽本体１１の下端開口へ差込む（必要な場合は接着剤で接着してもよい）ことによって、貯水槽本体１１と底部材１２が上下に接続一体化されている。そして、この差込みリング部１２ｃの付根部分には、図３に示すようにパッキン嵌着用の凹溝部１２ｄが形成されており、この凹溝部１２ｄに嵌着された防水用パッキン１２ｅによって、貯水槽本体１１と底部材１２との接続部分からの漏水が防止されている。
【００３２】
また、底部材１２の環状脚部１２ｂの外周面には、図１に示すようにレンガ模様等の装飾が施されており、この装飾も貯水槽本体１１の装飾と同様、片面にレンガ模様等を印刷したアクリル系等の樹脂フィルムを印刷面が裏側となるように貼着して形成されたものである。
【００３３】
なお、環状脚部１２ｂの外周面や貯水槽本体１１の外周面に形成する装飾は、家屋と良く調和するものであれば上記のレンガ模様やタイル模様の装飾に限定されることがなく、また、装飾を施す手段についても、模様印刷フィルムの貼着以外の種々の手段を採用することができる。
【００３４】
貯水槽本体１１の上端開口に被着される蓋材１３は、貯水槽本体１１や底部材１２と同様のポリ塩化ビニル等の合成樹脂で成形された円形蓋であり、この蓋材１３には、呼び樋４の後部の接続用縦管４ａを挿通する孔が形成されている。
【００３５】
上述した貯水槽本体１１、底部材１２、蓋材１３から成る縦長の筒状貯水槽１は、図１に示すように家屋外壁面２に沿って立設され、固定手段で倒れないように家屋外壁面２に固定される。この実施形態では、固定手段として両端に止具５ａを取付けた鎖５を３本を使用し、各鎖５を筒状貯水槽１の上部、中部、下部に巻付けて鎖両端の止具５ａを家屋外壁面２に打込むことにより、筒状貯水槽１を家屋外壁面２に固定しているが、鎖以外の適当な取付金具等を用いて筒状貯水槽１を家屋外壁面２に固定してもよい。
【００３６】
図１に示すように、軒樋６に取付けられた集水器７には呼び樋４の先端部が接続され、この呼び樋４後部の接続用縦管４ａは筒状貯水槽１の蓋材１３を貫いて貯水槽内に挿入されている。そして、図２に示すように、呼び樋４の接続用縦管４ａには、軟質ポリ塩化ビニル等の軟質合成樹脂からなる透明なチューブ８ａの上端が接続され、このチューブ８ａの下端は、底板部１２ａに形成された開口１２ｆに接続されている。更に、この開口１２ｆには、同様の軟質合成樹脂からなる透明な短いチューブ８ｂの上端が接続されており、上記の呼び樋４とチューブ８ａとチューブ８ｂによって、筒状貯水槽１を上下に貫く入水管路が形成されている。この入水管路の下端部、つまりチューブ８ｂは、上方に向かってＵ字状に曲げられ、底板部１２ａの入水口１２ｇに脱着自在に取付けられたフィルター９に接続されている。
【００３７】
また、底板部１２ａに形成された排水口１２ｈには、硬質ポリ塩化ビニル等の合成樹脂からなる排水パイプ１０ａの下端が接続されて立上がり、該パイプ１０ａの上方開口部が筒状貯水槽１内の上端近くに位置している。そして、この排水口１２ｈの下側には排水パイプ１０ｂ、エルボ１０ｃ、排水パイプ１０ｄ等が順次接続され、これらの排水パイプ等と上記の排水パイプ１０ａによって、筒状貯水槽１内の余剰の雨水を上方開口部から流下させて排水する排水管路が形成されている。なお、この排水管路の途中には、図１に示すように雨水桝１０ｅが埋設される。
【００３８】
以上のような構成の雨水貯溜装置によれば、屋根に降った雨水が軒樋６の集水器７から、入水管路を構成する呼び樋４、チューブ８ａ，８ｂを流下し、フィルター９を経て入水口１２ｇから貯水槽本体１１内へ流入する。このとき、フィルター９によって雨水がろ過され、雨水に含まれる木の葉、ゴミ、土砂等の固形物が貯水槽本体１１内へ入らないため、貯水槽本体１１内にはきれいな雨水のみが貯溜されることになる。上記の固形物はチューブ８ｂ内に溜まるので、定期的にチューブ８ｂを外してチューブ８ｂ内の固形物を除去することが好ましい。その場合、チューブ８ｂが透明であると、内部の固形物の溜り具合を透視できる利点がある。また、上記フィルター９と入水口１２ｇとの間に開閉自在な止水弁（不図示）を取付けておけば、チューブ８ｂ内に固形物が溜まったとき該弁を閉じて貯水槽本体１１内の雨水を排出することなくチューブ８ｂ内を清掃することができる。
【００３９】
上記のように貯水槽本体１１内に貯溜された雨水は、庭木や鉢植え植物等に水を与えるときや、洗車のときなど、必要なときに蛇口３を回すことによって、貯水槽本体１１から取り出して有効利用できる。
【００４０】
そして、貯水槽本体１１内の雨水の水位ＷＬが、排水管路を構成する排水パイプ１０ａの上方開口部より高くなると、余剰の雨水はオーバーフローして該開口部から排水パイプ１０ａ，１０ｂを流下し、更に、排水パイプ１０ｄ、雨水桝１０ｅ等を経て側溝等へ排水される。
【００４１】
この雨水貯溜装置は、上記のように雨水を軒樋６から導入して貯溜するだけでなく、余剰の雨水を排水する機能、つまり堅樋としての排水機能を併せ持つものであり、貯水槽そのものが大型の堅樋のような縦長の筒状貯水槽１であるため、家屋外壁面２に沿って筒状貯水槽１を立設して、両端に止具５ａを取付けた鎖５等で倒れないように固定することができ、このように立設固定すると筒状貯水槽１が建物の一部として良く調和し、違和感を生じない。従って、この雨水貯溜装置は体裁が良好であり、従来の堅樋の位置に設置できるので特別な設置スペースを必要とせず、この装置の設置箇所には堅樋を設けることも不要となる。そして、筒状貯水槽１の外面にタイル模様やレンガ模様などの家屋と良く調和する装飾を施したものは、体裁が一層良くなり、建物との一体感が更に向上する。また、この装置は従来装置のように堅樋を途中で切断して分水器を接続する必要が全くないので、分水器等が抜け落ちる問題も解消される。
【００４２】
前記実施形態の雨水貯溜装置では、筒状貯水槽１を円筒状に形成しているが、半円筒状に形成しても、角筒状に形成してもよい。また、透明な軟質のチューブ８ａ，８ｂの代わりに硬質の合成樹脂パイプ等を用いて入水管路を形成してもよく、場合によってはチューブ８ａ，８ｂを使用しないで呼び樋４から雨水を貯水槽本体１１へ直接導入するように構成して入水管路を省略してもよい。
【００４３】
図４は本発明の他の実施形態に係る雨水貯溜装置の断面図である。
【００４４】
この雨水貯溜装置は、筒状貯水槽１の貯水槽本体１１の内部に二つの仕切壁１１ａ，１１ｂが設けられている。一方の仕切壁１１ａは、貯水槽本体１１の上端から底板部１２ａに達するように設けられ、この仕切壁１１ａと貯水槽本体１１の側壁との間が入水通路部１１ｃとなっている。そして、呼び樋４後部の接続用縦管４ａが筒状貯水槽１の蓋材１３を貫いて入水通路部１１ｃに挿入されている。この仕切壁１１ａの下部には開口が形成されてフィルター９が取付けられており、また、入水通路部１１ｃの下方の底板部１２ａには、入水通路部１１ｃの底に溜まった固形物の排出口１２ｉが形成されて栓体１２ｊで閉塞されている。
【００４５】
他方の仕切壁１１ｂは、底板部１２ａから貯水槽本体１１の上端近くまで立上がるように設けられ、この仕切壁１１ｂと貯水槽本体１１の側壁との間が、余剰の雨水を上方開口部から流下させて排水する排水用空間部１１ｄとなっている。そして、この排水用空間部１１ｄの下方の底板部１２ａには排水口１２ｈが形成され、この排水口１２ｈに排水パイプ１０ｂ，エルボ１０ｃ、排水パイプ１０ｄ等が順次接続されている。
【００４６】
その他の構成は前記実施形態の雨水貯溜装置と実質的に同様であるので、図４において同一部材に同一符号を付し、説明を省略する。
【００４７】
上記構成の雨水貯溜装置では、雨水が軒樋の集水器から呼び樋４を通って貯水槽本体１１内の入水通路部１１ｃを流下し、フィルター９でろ過されて、きれいな雨水のみが貯水槽本体１１内へ流入して貯溜され、雨水に含まれる木の葉、ゴミ等の固形物は入水通路部１１ｃの底に溜まる。従って、定期的に栓体１２ｊを外して排出口１２ｉから固形物を除去することが好ましい。
【００４８】
そして、必要なときに蛇口３を回すと、貯水槽本体１１内に貯溜された雨水を取り出して有効利用することができる。また、貯水槽本体１１内の水位ＷＬが排水用空間部１１ｄの上方開口部より高くなると、余剰の雨水が仕切壁１１ｂの上端をオーバーフローして、上方開口部から排水用空間部１１ｄを流下し、排水口１２ｈから排水パイプ１０ｂ，エルボ１０ｃ，排水パイプ１０ｃを通って排水される。
【００４９】
上記のように、この雨水貯溜装置も堅樋としての排水機能を併せ持ち、縦長の筒状貯水槽１を家屋外壁面２に沿って倒れないように立設固定すると、筒状貯水槽１が建物の一部として良く調和し、違和感を生じない。従って、この雨水貯溜装置も体裁が良好であり、従来の堅樋の位置に設置できるので特別な設置スペースを必要とせず、この装置の設置箇所には堅樋を設けることが不要となり、従来の分水器等の抜け落ちの問題も解消される。
【００５０】
図５は、本発明の更に他の実施形態に係る雨水貯溜装置の断面図である。
【００５１】
この雨水貯溜装置は、筒状貯水槽１の内部に前述した排水管路を構成する排水パイプ１０ａ，１０ｂ等を設ける代わりに、筒状貯水槽１の貯水槽本体１１の側壁の上端近くに流出口１１ｅを形成し、そこから流出する余剰の雨水を伝落させて排水する排水通路１１ｆとして、凸条を筒状貯水槽１の外面に螺旋状に形成したものである。
【００５２】
このような雨水貯溜装置は、筒状貯水槽１が家屋から支持されて従来の鎖樋の位置に立設固定されると共に、集水器から垂下する入水管４０が蓋材１３を貫いて貯水槽本体１１内へ挿入され、この入水管４０にチューブ８ａが接続される。筒状貯水槽１を家屋から支持する手段としては、例えば軒先などの垂木から複数の金属製支持アームなどを用いて筒状貯水槽１を支える手段等が採用される。
【００５３】
その他の構成は図１〜図３に示す実施形態の雨水貯溜装置と実質的に同様であるので、図５において同一部材には同一符号を付し、説明を省略する。
【００５４】
斯かる構成の雨水貯溜装置では、雨水が軒樋の集水器から入水管４０、チューブ８ａ，８ｂを流下し、フィルター９でろ過されて、きれいな雨水のみが入水口１２ｇから貯水槽本体１１内へ流入し、雨水に含まれる固形物はチューブ８ｂに溜められる。そして、貯水槽本体１１内の雨水の水位ＷＬが流出口１１ｅより高くなると、余剰の雨水が流出口１１ｅから流出し、螺旋状の凸条からなる排水通路１１ｆに沿って伝落して排水される。そして、必要なときに蛇口３を回すと、貯水槽本体１１内に貯溜された雨水を取り出して有効利用することができる。
【００５５】
上記のように、この雨水貯溜装置は、所謂「鎖樋」のような伝落、排水機能を併せ持ち、縦長の筒状貯水槽１を家屋から支持させて建物の一部のように家屋と調和させつつ立設固定できるものであるから、体裁が良好であり、従来の鎖樋の位置に立設固定すれば特別な設置スペースを必要とせず、倒れる心配もなくなり、従来の分水器等の抜け落ちの問題も解消される。また、螺旋状の凸条からなる排水通路１１ｆに沿って余剰の雨水が伝落しながら排水されると、筒状貯水槽１の排水通路以外の外面には雨水の伝落した汚い痕跡が残らないので、筒状貯水槽１の外面を美しく保つことができる。
【００５６】
【発明の効果】
以上の説明から明らかなように、本発明の雨水貯溜装置は、軒樋から雨水を導入して木の葉やゴミ等を除去したきれいな雨水のみを貯溜することができ、必要なときに蛇口を回すことにより雨水を取出して有効利用できるだけでなく、余剰の雨水を排水することもできるので、堅樋又は鎖樋としての機能を併せ持つものである。しかも、貯水槽が大型の堅樋のような縦長の筒状貯水槽であるため、家屋外壁面に沿って立設固定したり家屋に支持させて立設固定すると、筒状貯水槽が建物の一部として良く調和して違和感を生じることがなく、倒れる心配もない。従って、本発明の雨水貯溜装置は体裁が良好であり、従来の堅樋や鎖樋の位置に立設できるので特別な設置スペースを必要とせず、この装置の設置箇所には堅樋が不要となる。また、従来装置のように堅樋の途中の分水器から雨水を導入するものではないので、分水器の抜け落ちの問題も解消される。
【図面の簡単な説明】
【図１】本発明の一実施形態に係る雨水貯溜装置の側面図である。
【図２】同装置の断面図である。
【図３】図２の円で囲んだ部分の拡大図である。
【図４】本発明の他の実施形態に係る雨水貯溜装置の断面図である。
【図５】本発明の更に他の実施形態に係る雨水貯溜装置の断面図である。
【図６】従来の雨水貯溜装置の側面図である。
【符号の説明】
１  筒状貯水槽
１１  貯水槽本体
１２  底部材
１３  蓋材
１２ｇ  入水口
１２ｈ  排水口
２  家屋外壁面
３  蛇口
４  呼び樋
５  鎖
６  軒樋
７  集水器
８ａ，８ｂ  入水管路を構成するチューブ
９  フィルター
１０ａ，１０ｂ  排水管路を構成する排水パイプ
１１ａ，１１ｂ  仕切壁
１１ｃ  入水通路部
１１ｄ  排水用空間部
１１ｅ  流出口
１１ｆ  溝型の排水通路
４０  入水管
ＷＬ  水位
【図１】
0003731026.tif 000002
【図２】
0003731026.tif 000003
【図３】
0003731026.tif 000004
【図４】
0003731026.tif 000005
【図５】
0003731026.tif 000006
【図６】
0003731026.tif 000007